(57)【要約】【課題】六角ナットを連続回転ロック、連続回転リリース可能な開口レンチを提供する。【解決手段】  本考案の六角ナットを連続回転ロック、連続回転リリース可能な開口レンチの構造は、上顎クランプ、下顎クランプ、回復バネ及び柄を含み、上顎クランプ内に下顎クランプ、回復バネ及び柄前端のトグルブロックを収納することができ、該上顎クランプ一側端に上顎挟みを凸設し、上顎挟み後端に枢着体を設け、これにより、該六角ナットを連続回転ロック、連続回転リリース可能な開口レンチは、異なる規格サイズの六角ナットを連続回転ロック、回転リリースすることに適用でき、開口レンチが回転ロック、回転リリース時に六角ナットを退出させる必要がなく、連続回転ロック又は回転リリースの作業を達成することができ、使用の利便性及び作業効率を向上する。【選択図】図２
2017007084.tif 000002
【特許請求の範囲】
【請求項１】
上顎クランプ、下顎クランプ、回復バネ及び柄を含み、上顎クランプ内に下顎クランプ、回復バネ及び柄前端のレバーを収容することができ、該上顎クランプ一側端に上顎挟みを凸設し、上顎挟み後端に枢着体を設け、該枢着体は、横方向に婁空に収容室を設け、収容室上底両端は、収容平面を設け、枢着体前端の適当な箇所に第１貫通孔及び第２貫通孔を設け、枢着体を貫通させ、第１貫通孔及び第２貫通孔内に第１軸柱及び第２軸柱を設け、枢着体後端に枢着孔を設け、枢着体を貫通させ、枢着孔内に枢着時を設け、該下顎クランプ一側端は、下顎挟みを凸設し、下顎挟み後端は、滑動体を設け、滑動体上底両面は、滑動平面を設け、滑動体中段に滑動溝を設け、底側にトグル溝を設け、トグル溝一側辺に凸円部を設け、該回復バネは、滑動溝一側端に収納され、該柄前端にレバーを設け、後端にレンチ柄を設け、レバーとレンチ柄の接合個所に凹円部を設け、レバー後端に枢着孔を設ける六角ナットを連続回転ロック、連続回転リリース可能な開口レンチ。
【請求項２】
前記上顎挟み及び下顎挟みの間にレンチ挟み口を形成することができ、レバーは、トグル溝内に収容され、凸円部は、凹円部内に収容される請求項１に記載の六角ナットを連続回転ロック、連続回転リリース可能な開口レンチ。
【請求項３】
前記収容室上底両端の収容平面は、滑動体の滑動平面を収容でき、該収容平面は、滑動平面と合わせ、滑動体平面を左右に滑動させる請求項１に記載の六角ナットを連続回転ロック、連続回転リリース可能な開口レンチ。
【発明の詳細な説明】
【技術分野】
【０００１】
本発明は、異なる規格サイズの六角ナットを連続回転ロック及び回転リリースすることに適用され、該開口レンチが回転ロック及び回転リリース時に六角ナットを退出させる必要なく、連続回転ロック又は回転リリースの作業を達成することができ、使用の利便性及び作業効率を向上させることができる六角ナットを連続回転ロック、回転リリース可能な開口レンチに関する。
【背景技術】
【０００２】
一般の公知の開口レンチは、柄、及び該柄一端から外へ延伸する顎挟みを有し、そのうち、該顎挟みに上顎部、該上顎部に対応して設置される下顎部、及び該上下顎部間に開設される欠き口から構成され、該欠き口は、六角ナットを被せ入れさせることができ、該上下顎部を利用し、該六角ナットの六角ヘッドの平行辺に対して挟持固定することができ、故に使用者は、ただ該柄を掴持した後、順時計回り又は反時計回りに回転を行い、該六角ナットに対してロック又はリリースの効果をなすことができる。
【０００３】
しかしながら、一般に該開口レンチは、該六角ナットを回転させる効果を有するが、実際の使用において、依然として多くの欠陥があり、具体的には、以下のとおりである。該開口レンチの上顎部及び下顎部が一体状に形成され、該欠き口の寸法が固定されているので、該開口レンチの該六角ナットに対して被せ合わせを行う時、該欠き口は、該六角ナットの２つの平行辺面の角度に合わせられて初めて円滑に被せ入れることができ、被せ入れの過程で該六角ナットの角端が上顎部又は下顎部に接触する時、干渉して円滑に被せ入れることができないので、操作使用上、相当に不便になる。
【０００４】
また、該開口レンチは、操作困難な角度位置まで回転するか、回転過程で障害物に当たる時、使用者は、該開口レンチの欠き口を該六角ナット上から抜き出して離脱させ、続いて、該欠き口を、該六角ナットを回転させ易い角度位置に被せ合わせ直してから回転を行い、このように、全体の動作を複雑で面倒にし、操作が相当面倒且つ労力を要し、更には、該六角ナットの回転ロックに相当長い時間を要し、作業効率が影響を受ける。
【先行技術文献】
【特許文献】
【０００５】
【特許文献１】登録実用新案第３２００６５５号公報
【発明の概要】
【発明が解決しようとする課題】
【０００６】
従って、本発明の目的は、連続回転し、且つ迅速に六角ナットをロック又はリリースし、且つ開口レンチに六角ナットを被せ入れる過程において、回復バネの圧迫を受けて六角ナットの角端が上顎挟み又は下顎挟みに接触する時、角端の干渉によって円滑に被せ入れできなくなることがなく、操作使用上相当に便利であり、使用の利便性を向上できるだけでなく、更に作業効率を向上させることができる六角ナットを連続ロック、回転リリース可能な開口レンチを提供することである。
【０００７】
本発明のもう１つの目的は、部品が減少され、組み立てが迅速で、加工製造に便利で製造コストを低減し、異なる規格サイズの六角ナットを連続回転ロック、回転リリースすることに適用され、レンチ寸法を交換する必要がなく、回転ロック、回転リリース作業を行うことができる六角ナットを連続回転ロック、回転リリース可能な加工レンチを提供することにある。
【課題を解決するための手段】
【０００８】
これに基づき、本発明は、以下の技術手段によって、前記目的及び効果を実現し、その構造は、上顎クランプ、下顎クランプ、回復バネ及び柄を含み、上顎クランプ内に下顎クランプ、回復バネ及び柄前端のトグルブロックを収容することができ、該上顎クランプ一側端に上顎挟みを凸設し、上顎挟み後端に枢着体を設け、該枢着体は、横方向に婁空に収容室を設け、収容室上底両端は、平面であり、枢着体前端の適当な箇所に複数の貫通孔を設け、枢着体を貫通させ、貫通孔内に軸柱を設け、枢着体後端に枢着孔を設け、枢着体を貫通させ、枢着孔内に枢着時を設け、該下顎クランプ一側端は、下顎挟みを凸設し、下顎挟み後端は、滑動体を設け、滑動体上底両面は、平面であり、滑動体中段に滑動溝を設け、底側にトグル溝を設け、該回復バネは、滑動溝一側端に収納され、該柄前端にレバーを設け、後端にレンチ柄を設け、レバーとレンチ柄の接合個所に凹円部を設け、レバー後端に枢着孔を設ける。
【発明の効果】
【０００９】
これにより、該軸柱は、枢着体前の貫通孔及び滑動体中段箇所の滑動溝を貫通し、上顎クランプと下顎クランプを組み合わせることができ、上顎クランプの上顎挟みと下顎クランプの下顎挟みの間にレンチ挟み口を形成することができ、柄前端のレバーを利用して下顎体を動かし、下顎挟みを上向きに上顎挟みへ向けて横方向へ移動させ、レンチ挟み口縮小させ、六角ナットを堅個に挟ませ、ナットを回転リリース又は回転ロックさせ、且つ開口レンチに六角ナットを被せ入れる過程において、回復バネが圧迫を受け、六角ナットの角端が上顎挟み又は下顎挟みに接触する時、角端が干渉して円滑に被せ入れることができなくなることがなく、使用の利便性を有効に向上し、作業効率を更に向上することができる。
【図面の簡単な説明】
【００１０】
【図１】本発明の好適実施例の立体組み合わせ説明図である。
【図２】本発明の好適実施例の立体分解説明図である。
【図３】本発明の好適実施例の六角ナットを締めていない状態の平面組み合わせ説明図である。
【図４】本発明の好適実施例の開口レンチが六角ナットの角端から被せ込む説明図である。
【図５】本発明の好適実施例の開口レンチが六角ナットの平行辺から被せ込む説明図である。
【図６】本発明の好適実施例の開口レンチが連続回転ロックする説明図である。
【図７】本発明の好適実施例の開口レンチが連続回転リリースする説明図である。
【発明を実施するための形態】
【００１１】
本発明の詳細な構造、特徴及びその他の目的を更に理解できるようにする為、以下に本発明の好適実施例を挙げ、図面を参照して説明する。
【００１２】
本発明の六角ナットを連続回転ロック、連続回転リリース可能な開口レンチ１０は、図１〜図７に示すように、その構造は、上顎クランプ２０、下顎クランプ４０、回復バネ７０及び柄６０を収容することができ、該上顎クランプ２０一側端に上顎挟み２１を凸設し、上顎挟み２１後端に枢着体２３を設け、該枢着体２３は、横方向に婁空に収容室２４を設け、収容室２４上底両端は、収容平面２４１であり、枢着体２３前端の適当な箇所に第１貫通孔２５及び第２貫通孔２５１を設け、枢着体２３を貫通し、第１貫通孔２５及び第２貫通孔２５１内に第１軸柱２６及び第２軸柱２６１を設け、枢着体２３後端に枢着孔２７を設け、枢着体２３を貫通させ、枢着孔２７内に枢着軸２８を設け、該下顎クランプ４０一側端に下顎挟み４１を設け、下顎挟み４１後端に滑動体４３を設け、滑動体４３上底両面は、滑動平面４３１であり、滑動体４３中段に滑動溝４４を設け、底側にトグル溝４５一側辺に凸円部４６を設け、該回復バネ７０は、滑動溝４４一側端に収容され、該柄６０前端にレバー６１を設け、後端にレンチ柄６５を設け、レバー６１とレンチ柄６５の接合箇所に凹円部を設け、レバー６１後端に枢着孔６３を設ける。
【００１３】
これにより、該上顎挟み２１と下顎挟み４１の間にレンチ挟み口５０を形成することができ、レバー６１は、トグル溝４５内に収容され、凸円部４６は、凹円部６２内に収容され、柄を回動(flip)した後、下顎挟み４１を上顎挟み２１へ向けて移動させ、レンチ挟み口５０の間隔を縮小させるか、下顎挟み４１を上顎挟み２１から離し、レンチ挟み口５０を大きくし、該収容室２４上底両端の収容平面２４１は、滑動体４３の滑動平面４３１を収容でき、該収容平面２４１と滑動平面４３１が合わさり、滑動平面４３１を左右に滑動させる。
【００１４】
図３に示すように、本発明の好適実施例の六角ナットをロックしていない状態の平面組み合わせ説明図であり、該第１軸柱２６及び第２軸柱２６１は、枢着体２３の第１貫通孔２５及び第２貫通孔２５１、及び滑動体４３中段箇所の滑動溝４４を貫通し、上顎クランプ２０及び下顎クランプ４０を組み合わせ、上顎挟み２１及び下顎挟み４１の間にレンチ挟み口５０を形成することができ、該回復バネ７０一端は、滑動溝４４側辺を押し、他端は、第１軸柱２６を押し、下顎挟み４１を上顎挟み２１の方向へ、第２軸柱２６１が滑動溝４４側辺に嵌合するまで滑動させ、該レバー６１は、トグル溝４５内に収容し、凸円部４６は、凹円部６２内に収容される。
【００１５】
図４及び図５を参照して説明すれば、それは、本発明の好適実施例の開口レンチが六角ナット８０の角端８１又は平行辺８２から被せ込む説明図であり、開口レンチは、六角ナット８０の角端８１又は平行辺８２の過程において、回復バネ７０が滑動溝４４末端及び第１軸柱２６の圧迫を受け、下顎挟み４１は、右へ滑動し、過程において、六角ナット８０の角端８１は、レンチ挟み口５０の間隔を大きくし、六角ナット８０の角端８１を上顎挟み２１及び下顎挟み４１に接触させる時、角端８１が干渉して六角ナット８０を円滑に被せ入れることができなくなって操作使用上の不便を招くということがなく、即ち、本発明の開口レンチを使用時、比較的大きな又は比較的小さな規格の六角ナット８０を回転ロック、又は回転リリースすることができ、異なる規格の開口レンチに交換する必要がなく、レンチ挟み口５０を六角ナット８０に被せ入れるだけで、六角ナット８０の平行辺８２又は角端８１を位置合わせする必要がなく、下顎挟み４１は、右へ滑動し、レンチ挟み口５０が比較的大きな又は比較的小さな規格の六角ナット８０を堅個に挟めるように調整し、更に、六角ナット８０の連続回転ロック又は連続回転リリース作業を行う。
【００１６】
図６を参照して説明すれば、それは、本発明の好適実施例の開口レンチ１０の連続回転ロックの説明図であり、下から上へ順での操作を説明するが、柄６０を回動し、レンチ柄６５を、枢着孔６３を軸心として上向きに回転させ、トグル溝４５内に収容するレバー６１、及び凹円部６２に収容する凸円部４６は、下顎挟み４１を上顎挟み２１方向へ推移させ、レンチ挟み口５０の間隔を縮小させ、六角ナット８０を堅固に回転ロックさせ、手肘がレンチ柄６５を回転ロックできなくなるまで回転ロックした時、レンチ柄６５を枢着孔６３を軸心として下向きに回転させることができ、手肘が回転ロックに適した角度まで戻し、この時、レバー６１及び円角６２は、上向きに回転し、滑動体４３を上向きに推移させ、滑動体４３上の下顎挟み４１を上顎挟み２１から離し、レンチ挟み口５０の間隔を大きくさせ、六角ナット８０より大きくし、継続してレンチ柄６５を枢着孔６３を軸心として下向きに回転させ、下顎挟み４１は、六角ナット８０を堅固に噛ませることができないので、レンチ柄６５を手肘が回転ロックに適した位置まで回転させ、繰り返し回転ロックさせ、六角ナット８０がレンチ挟み口５０を退出させる必要がなく連続回転ロック効果を達成することができる。
【００１７】
図７を参照して説明すれば、それは、本発明の好適実施例の開口レンチ１０の連続回転リリースの説明図であり、六角ナット８０を連続リリース時、開口レンチ１０を反転させ、柄６０を回動し、レンチ柄６５を枢着孔６３を軸心として上向きに回転させ、トグル溝４５内に収容するレバー６１及び凹円部６２内に収容する凸円部４６は、下顎挟み４１を上顎挟み２１方向へ推移させ、レンチ挟み口５０の間隔を縮小させ、六角ナット８０を堅固回転ロックし、手肘がレンチ柄６５を回転できなくなるまでリリースした時、レンチ柄６５を枢着孔６３を軸心へ下向きに回転することができ、手肘が回転リリースに適した角度まで戻し、この時、レバー６１及び円角６２は、上向きへ回転し、滑動体４３を上向きに推移し、滑動体４３上の下顎挟み４１を上顎挟み４１から離し、レンチ挟み口５０の間隔を大きくさせ、六角ナット８０より大きくし、継続的にレンチ柄６５を枢着孔６３を軸心として下向きに回転させ、六角ナット８０がレンチ挟み口５０を退出させる必要なく、連続リリース効果を達成することができる。
【符号の説明】
【００１８】
１０  開口レンチ
２０  上顎クランプ
２１  上顎挟み
２３  枢着体
２４  収容室
２４１  収容平面
２５  第１貫通孔
２５１  第２貫通孔
２６  第１軸柱
２６１  第２軸柱
２７  枢着孔
２８  枢着軸
４０  下顎クランプ
４１  下顎挟み
４３  滑動体
４３１  滑動平面
４４  滑動溝
４５  トグル溝
４６  凸円部
５０  レンチ挟み口
６０  柄
６１  レバー
６２  凹円部
６３  枢着孔
６５  レンチ柄
７０  回復バネ
８０  六角ナット
８１  角端
８２  平行辺
【図１】
2017007084.tif 000003
【図２】
2017007084.tif 000004
【図３】
2017007084.tif 000005
【図４】
2017007084.tif 000006
【図５】
2017007084.tif 000007
【図６】
2017007084.tif 000008
【図７】
2017007084.tif 000009